(57)【要約】【課題】別部材の浮力体を用いることなく発泡気体を利用して容器を浮上させ、しかも安定した姿勢で推進させ得る発泡推進容器を提供する。【解決手段】容器本体３は発泡入浴剤２を収納した状態で水中に沈む構成とし、容器本体３内部には発泡入浴剤２の上方に気体が滞留する気体滞留部６を設け、水中に投入した初期段階では水に沈み、発泡入浴剤２の発泡が進んで気体滞留部６に気体が滞留すると浮力が生じて浮上する構成となっている。【選択図】    図１
2006212264.tif 000002
【特許請求の範囲】
【請求項１】
発泡剤を収納する容器本体を有し、該容器本体には、容器本体内に水を取り込む吸入口と、該吸入口から吸入された水と発泡剤が反応して生成される気体を容器本体外に噴出させて容器本体を推進させる噴射口とが設けられた発泡推進容器において、
前記容器本体は発泡剤を収納した状態で水中に沈む構成とし、容器本体内部には前記発泡剤の上方に気体が滞留する気体滞留部を設け、水中に投入した初期段階では水に沈み、発泡剤の発泡が進んで気体滞留部に気体が滞留すると浮力が生じて浮上する構成としたことを特徴とする発泡推進容器。
【請求項２】
浮上時には噴射口の少なくとも一部が水面下に位置する構成となっている請求項１に記載の発泡推進容器。
【請求項３】
容器本体に発泡剤の落下を防止する落下防止手段を設けたことを特徴とする請求項１または２に記載の発泡推進容器。
【請求項４】
容器本体の上部に姿勢安定手段を設けたことを特徴とする請求項１乃至３のいずれかの項に記載の発泡推進容器。
【請求項５】
容器本体はフィルムで構成されている請求項１乃至４のいずれかの項に記載の発泡推進容器。
【発明の詳細な説明】
【技術分野】
【０００１】
本発明は、たとえば発泡入浴剤のような発泡剤を収容した容器に関し、特に、特に水中で発泡剤を噴出しながら自走し発泡剤を自動散布するようにした発泡推進容器に関する。
【背景技術】
【０００２】
従来のこの種の発泡推進容器としては、たとえば、特許文献１に記載のような入浴剤玩具が知られている。すなわち、玩具仕様の浮きと、その下方に発泡性入浴剤の容器を連結したもので、容器は、側面，底部を含む多数の通水孔を有し、上端側面の水中に没する位置に開口部を有する構成となっている。容器の上方は仕切りの蓋で閉塞され、蓋を開口部方向が高い位置となるように傾斜させることによって、容器に入浴剤を入れて水の中に入れた時に、入浴剤から噴出したガスが上昇し、主に開口部から放出されて推進力となるように構成されていた。
【０００３】
しかしながら上記した入浴剤玩具の場合には、発泡性入浴剤を浮かべるために、容器とは別に浮きが必要であった。また、浮きによって容器は同じ深さで横方向に移動するだけで、縦方向には移動しない。そのため、入浴剤の成分は同じ深さの位置から水中に拡散していくだけで、拡散効果が低い。
なお、特許文献２にも、同様の浮力体付きの発泡推進容器が記載されている。
【特許文献１】特開２００３−１０３０６４
【特許文献２】特開平１１−２０７０４５
【発明の開示】
【発明が解決しようとする課題】
【０００４】
本発明は、上記した従来技術の問題を解決するためになされたもので、その目的とするところは、別部材の浮きを用いることなく、発泡剤から発生する気体を利用して水中から浮上する構成とすることにより、浮上時に発泡剤の成分を縦方向にも拡散させ得る拡散効果の高い発泡推進容器を提供するものである。
【課題を解決するための手段】
【０００５】
上記目的を達成するために、請求項１に記載の発明は、発泡剤を収納する容器本体を有し、容器本体には、容器本体内に水を取り込む吸入口と、吸入口から吸入された水と発泡剤が反応して生成された気泡を容器本体外に噴出させて容器本体を推進させる噴射口とが設けられた発泡推進容器において、前記容器本体は発泡剤を収納した状態で水中に沈む構成とし、容器本体内部には前記発泡剤の上方に気体が滞留する気体滞留部を設け、水中に投入した初期段階では水に沈み、発泡剤の発泡が進んで気体滞留部に気体が滞留すると浮力が生じて浮上する構成としたことを特徴とする。
【０００６】
請求項２に記載の発明は、浮上時には噴射口の少なくとも一部が水面下に位置する構成となっていることを特徴とする。
請求項３に記載の発明は、容器本体に発泡剤の落下を防止する落下防止手段を設けたことを特徴とする。
【０００７】
請求項４に記載の発明は、容器本体の上部に姿勢安定手段を設けたことを特徴とする。
請求項５に記載の発明は、容器本体はフィルムで構成したことを特徴とする。
ので、軽量でしかも気体滞留部の浮力によって姿勢を維持し、推進スピードが速く、溶解した成分の拡散効果が高い。
【発明の効果】
【０００８】
本発明によれば、発泡剤が発泡して気泡が気体滞留部に滞留すると浮力を得て
浮上するので、特別な浮力体が不要で構成が単純化できる。また、溶けた発泡剤を水中深いところから水面まで縦方向に拡散させることができるので、水中への拡散効果が高い。
【０００９】
請求項２に記載の発明によれば、噴射口の少なくとも一部が水面下に位置する構成となっているので、泡と共に水および水で溶解した発泡剤が勢いよく噴出され、スピードが速くなると共に、溶解した成分の拡散効果が高い。
請求項３に記載の発明によれば、容器本体に発泡剤の落下を防止する落下防止手段を設けたので、発泡剤を支持しつつ吸入口を大きくとることができ、発泡剤と水の反応を促進することができる。
【００１０】
請求項４に記載の発明によれば、容器本体の上部に姿勢安定手段を設けたので、発泡入浴剤がなくなるにつれて容器本体の重心が上方に移動してきても、姿勢安定板の下面が水面に密着しているので、容器本体の姿勢が倒れない。
また、姿勢安定板の上面を利用して種々の模様を印刷することができる。
請求項５に記載の発明によれば、容器本体はフィルムで構成したので、廃棄性がよく、印刷特性に優れているし、軽量なので推進速度が早く、分散効率を一層高めることができる。
【発明を実施するための最良の形態】
【００１１】
以下に本発明を図示の実施の形態に基づいて説明する。
図１は本発明の実施の形態１に係る発泡剤推進容器を示している。
この発泡推進容器１は、発泡剤としての発泡入浴剤２を収納する容器本体３を有し、浴槽の湯中を自走しながら発泡入浴剤２を湯中に溶かし拡散させる容器である。容器本体３には、容器本体３内に湯を取り込む吸入口４と、吸入口４から吸入された湯と発泡入浴剤２が反応して生成された炭酸ガス等の気体を容器本体３外に噴出させて容器本体３を推進させる噴射口５とが設けられている。
【００１２】
容器本体３は発泡入浴剤２を収納した状態で水中に沈む構成で、容器本体３内部には発泡入浴剤２の上方に発生した気体の気泡２ａが滞留する気体滞留部６を設け、水中に投入した初期段階では水に沈み、発泡入浴剤２の発泡が進んで気体滞留部６に滞留する気体の体積が大きくなって浮力が所定の大きさまで増大すると浮上する構成となっている。
吸入口４は容器本体３の下部に、噴射口５は気体滞留部６の直下の容器本体３側方に開口している。
【００１３】
図示例では、容器本体３はフィルムによって構成されるもので、発泡入浴剤２が容器本体３を水中に沈めるおもりとして利用している。
フィルムの材質としては特に制限はなく、ナイロン、直鎖状−、低−、高密度ポリエチレン、ポリプロピレン等のポリオレフィン類、ポリエチレンテレフタレートなどのポリエステル類等の熱可塑性樹脂、バリア性フィルム（例：蒸着フイルム、アルミラミネートフィルム）を挙げることができる。また、これらのプラスチックフィルムを単層で、或いは二種以上を積層して構成することができ、内容物に応じて適宜選択される。
このようなフィルムは、廃棄性がよく、印刷特性に優れているし、軽量なので推進速度が早く、分散がよくなる。
さらに、水溶性のものも適用可能である。水溶性のフィルムとしては、たとえば、シート状あるいは板状のゼラチン、オブラート等の澱粉質のもの、紙石けん等の紙など、水中で一定時間形状を保持できる素材であればよい。
【００１４】
発泡入浴剤２の比重が１に極めて近い、あるいは１以下の場合には、容器本体３自体の重心が下方になるように、別途おもりを設ければよい。また、発泡入浴剤２の中に比重が１より大きいおもりとなる人形等の玩具を埋設しておいてもよい。発泡入浴剤２としては、固形、粉末、フレーク状等種々の形態の発泡剤が利
用可能である。
容器本体と発泡入浴剤は、容器本体に最初から発泡入浴剤が入っているものと、最初は別々で、使用時等の後から入れて使用する場合の両方を含むものとする。
【００１５】
容器本体３は左右一対の縦方向に延びるフィルム３１，３１の周縁を、吸入口４と噴射口５の部分以外を貼り合わせて収納空間７を形成した平面的なパウチで、垂直に立てた縦方向の姿勢が使用状態となる。フィルム３１は略四角形状で前部（推進方向）が円弧形状に成形され、前側縁と上側縁が熱溶着されて前部シール部８と上部シール部９を構成している。また、後側縁と下側縁との角部は、部分的に熱溶着された角部シール部１０となっている。角部シール部１０は、角部から後側縁に沿って上方に延びる幅の狭い後部分シール部１０ａと、角部から下側縁に沿って前方に延びる下部分シール部１０ｂとを備えている。
【００１６】
容器本体３の後側縁は、角部シール部１０と上部シール部９の後端との間がシールされずに開いており、この開口部分が噴射口５となっている。また、容器本体３の下側縁は、前部シール部８の下端と角部シール部１０との間がシールされずに開いており、この開口部分が吸入口４となっている。
また、容器本体３の左右のフィルム３１，３１には、図１（Ｆ），（Ｇ）に示すように、魚の絵柄等を描くことにより、玩具としても利用することができる。
【００１７】
収納空間７に収納された発泡入浴剤２は所定の厚みがあるために、容器本体３の閉じた上側縁側では厚みを吸収できず、下側縁の吸入口４が開いて発泡入浴剤２の厚みを吸収することになり、発泡入浴剤２は下側縁側に偏って収納される。したがって、容器全体として重心位置が容器下方に偏って位置することになる。また、発泡入浴剤２の厚みによって後側縁の噴射口５も左右に広げられ開いた状態となる。フィルム３１は平面的なままでも発泡入浴剤２の厚みによって広げられるが、予め張り出し成形によって立体的に膨らませておいてもよい。
【００１８】
前部シール部８の外側縁８ｂは前方に向かって凸の円弧形状に成形されており、収納空間７に臨む前部シール部８の内側縁８ａは上下方向に直線的に延びている。
上部シール部９の外側縁９ｂは上方に凸の円弧状に膨らんだ形状で、収納空間７に臨む内側縁９ａも外側縁形状と同様に上方に凸の円弧形状に膨らんだ形状となっている。この上部シール部９の内側縁９ａによって区画された収納空間７上部の円弧状空間が気体滞留部６を構成する。この内側縁９ａの後半部は途中で下方に凸形状に変曲して徐々に水平に移行し、その後端が噴射口５の上端につながっている。気体滞留部６に滞留した気体が気体滞留部６の容積一杯になると噴射口５から側方に押し出される。
【００１９】
発泡入浴剤２の位置がずれないように、発泡入浴剤固定用の位置決めシール部１１を設けてもよい。図２（Ａ）に示す例は、位置決めシール部１１を前部シール部８の内側縁８ａの中央部および角部シール部１０上部の噴射口５の口縁部から収納部７に向けて突出する形状となっている。
【００２０】
気体滞留部６を構成する上部シール部９の内側縁９ａ形状は円弧形状に限らず、気泡２ａが滞留可能な形状であればよく、四角形等種々の形状を選択できる。
気体滞留部６の体積は、浮力＞発泡推進容器１全体の重量（発泡入浴剤２＋容器本体３の重量）となるように設定する。ウエイトがある場合にはウエイトも含む。
【００２１】
なお、図２（Ｂ）に示すように、容器本体３の後側縁の噴射口５を後側縁の上端から所定寸法だけ下方にずらし、気体滞留部６を下方に拡張してもよい。この場合、後側縁の上端（上部シール部９の後端）と噴射口５の上端との間は後部分シール部１２としてシールされる。さらに、噴射口５の上端と気体滞留部６を区画するように、後部分シール部１２の下端から容器本体３の内方に向かって所定長さだけ延びる区画シール部１３を設けてもよい。区画シール部１３を設ければ、気体滞留部６に滞留する気体の量が安定し、安定した浮力を得ることができる。
【００２２】
次に、本発明の発泡推進容器の使用方法について説明する。
発泡推進容器１を浴槽に投げ込むと、発泡入浴剤２もしくはウエイトの重みで底まで沈む。重心位置が下部にあるので、容器本体３下側縁の吸入口を下にした状態で浴槽の底１０１に着座する。
沈んだ容器本体３の吸入口４および噴射口５より温水が進入し、発泡入浴剤２に温水が触れて発泡を開始する。発泡した気体は、収納空間７の上部に位置する気体滞留部６に溜まり、容器１は浮上を開始する。
【００２３】
容器１が浮上すると、噴射口５から温水、気体、液状化した発泡入浴剤を後方に勢いよく噴射し、その反動で容器が前進する。気体滞留部６に滞留しない気泡は噴射口５から噴射するため、それ以上の浮上は行われない。したがって、容器１の姿勢は重心位置と気体滞留部６の浮力により安定する。この例では、噴射口５は気体滞留部６よりも下に位置するので、浮上した時点では噴射口はほぼ水面下にあり、噴射口５の上端が水面付近に位置する。
噴射口５からの噴射分と同量の新鮮な温水が常に吸入口４から容器本体３内に進入するため、発泡入浴剤２の発泡が絶えることなく持続し、推進力は衰えない。
【００２４】
本実施の形態では、容器本体３は軽量のフィルムで構成され、しかも横方向の厚みが小さく扁平な形状で、かつ気体滞留部６の浮力によって縦方向の姿勢を維持し、推進方向の水の抵抗が少ない。したがって、推進スピードが速く、溶解した成分の拡散効果が高い。また、噴射口５の上端が水面付近にあるので、発泡化した泡と共に、水および水で溶解した発泡剤が勢いよく噴出され、その反作用によって、より一層推進スピードが速くなる。
発泡入浴剤２が無くなると、容器本体３は気体滞留部６に気体を残したまま、浴槽に浮かんだ状態で終了する。
【００２５】
次に本発明の他の実施の形態について説明する。以下の説明では上記実施の形態と異なる点についてのみ説明するものとし、同一の構成部分については同一の符号を付してその説明を省略するものとする。
【００２６】
実施の形態２
図４は、本発明の実施の形態２に係る発泡推進容器を示している。  
この実施の形態２は、収納空間７に収納された発泡入浴剤２の脱落を防止する脱落防止手段として、容器本体３の下側縁に大きく開いた吸入口４に、部分的に脱落防止テープ１１１を掛け渡し、発泡入浴剤２の脱落を防止するようになっている。
【００２７】
実施の形態３
図５は、本発明の実施の形態３に係る発泡推進容器を示している。  
この実施の形態３は、収納空間７に収納された発泡入浴剤２の脱落を防止する脱落防止手段として、容器本体３を構成する縦方向に延びる一対のフィルム３１，３１の下側縁の吸入口４の口縁部分から、下方に向かって脱落防止用の支持片１１２，１１３を部分的に延ばしたものである。この支持片１１２，１１３を互いに引っ掛けて吸入口４に部分的に掛け渡し、発泡入浴剤２の脱落を防止する。
【００２８】
この例では、一方の支持片１１２の先端部には他方の支持片１１３が係合可能の係合溝１１４が、他方の支持片１１２の先端には係合溝１１４よりも幅の広いＴ字形状に張り出す係合突起１１５を設けたものである。係合溝１１４は、入口側（先端側）間隔が支持片１１３の幅よりも狭められ、支持片１１３が係合溝１１４から外れるのを防止している。
【００２９】
図６は、本発明の実施の形態４に係る発泡推進容器を示している。  
この実施の形態４は、容器本体３の上部に姿勢安定板を設けた例である。
この例では、縦方向に延びる容器本体３の上端に、容器本体３の左右両方向にＴ字状に延びる姿勢安定板２０が設けられている。
姿勢安定板２０は前端を頂点とする丸みを帯びた略三角形状で、この例では、容器本体３を構成する一対のフィルム３１，３１の上部を折曲して左右に延長し、このフィルム延長部３２，３２の上面に上面フィルム２１を全面又は一部に張り付けてシールすることにより構成している。
【００３０】
この姿勢安定板２０の上面に水面に浮かぶ葉や、バラ等の花模様等の種々の模様を印刷することにより、意匠的効果を高めることができる。
また、姿勢安定板２０を設けることにより、発泡入浴剤２がなくなるにつれて容器本体３の重心が上方に移動してきても、姿勢安定板２０の下面が水面に密着しているので、容器本体３の姿勢が倒れない。
【００３１】
図７は、本発明の実施の形態４の変形例を示している。  
この変形例は、上記実施の形態４の姿勢安定板２０の内部に気体滞留部６を設けた例である。
すなわち、フィルム３１のフィルム延長部３２，３２と上面フィルム２１は、その周縁部のみをヒートシールし、中央部分は未シールとして、上面フィルム２１とフィルム延長部３２，３２との間に周縁シール部２２によって囲まれる中空の気体滞留部６を形成したものである。この気体滞留部６は容器本体３の収納空間７と連通する。
【００３２】
図８は、本発明の実施の形態５に係る発泡推進容器を示している。  
この実施の形態５は、容器本体５３を一般的な四角形状のスタンディングパウチと同様の構成としたもので、後部シール部５１０の上端から所定距離下方位置に噴射口５を設けたものである。
すなわち、この容器本体５３は一対の四角形状の側面フィルム５３１，５３１と、この側面フィルム５３１，５３１の下端部に２つ折りに挟まれて側面フィルム５３１，５３１と貼り合わされる底面フィルム５３２と、を備え、側面フィルム５３１，５３１の前側縁が所定幅の前部シール部５８にてシールされ、上縁が所定幅の上部シール部５９にてシールされている。
【００３３】
噴射口５の上端から上部シール部５９の間までの部分が気体滞留部６であり、吸入口４は底面フィルム５３２に設けた複数の穴４１によって構成されている。
吸入口４は、使用前はテープ５３３によって閉塞されており、使用時にテープ５３２を剥がして使用する。
【００３４】
なお、上記実施の形態では発泡剤として発泡入浴剤を例にとって説明したが、入浴剤に限定されるものではなく、たとえば、発泡性の洗剤であってもよく、要するに水と反応して発泡化して水中に分散させるものであればに適用可能である。
【図面の簡単な説明】
【００３５】
【図１】図１は本発明の実施の形態１に係る発泡推進容器を示すもので、同図（Ａ）は前方から見た斜視図、同図（Ｂ）は後方から見た斜視図、同図（Ｃ）は前方から見た図、同図（Ｄ）は後方から見た図、同図（Ｅ）はシール部にて破断した断面図、同図（Ｆ）は魚の絵柄を描いた状態の同図（Ａ）と同等の斜視図、同図（Ｇ）は魚の絵柄を描いた状態の同図（Ｂ）と同等の斜視図である。
【図２】図２（Ａ）は図１の変形例を示す断面図、図２（Ｂ）は図１の他の変形例を示す断面図である。
【図３】図３（Ａ）乃至（Ｃ）は図１の発泡推進容器の使用説明図である。
【図４】図４は本発明の実施の形態２に係る発泡推進容器を示すもので、同図（Ａ）はシール部にて破断して示す断面図、同図（Ｂ）は後方から見た図、同図（Ｃ）は脱落防止テープの概略斜視図である。
【図５】図５は本発明の実施の形態３に係る発泡推進容器を示すもので、同図（Ａ）は前方から見た概略斜視図、同図（Ｂ）は同図（Ａ）の支持片の係合状態の斜視図、同図（Ｃ）は同図（Ｂ）の支持片を係合した状態の発泡推進容器を前方から見た図である。
【図６】図６は本発明の実施の形態４に係る発泡推進容器を示すもので、同図（Ａ）はシール部にて破断して示す断面図、同図（Ｂ）は上面図、同図（Ｃ）は後方から見た図である。
【図７】図７は本発明の実施の形態４の変形例に係る発泡推進容器を示すもので、同図（Ａ）はシール部にて破断して示す断面図、同図（Ｂ）は上面図、同図（Ｃ）は後方から見た図である。
【図８】図８は本発明の実施の形態５に係る発泡推進容器を示すもので、同図（Ａ）は正面図、同図（Ｂ）は後方から見た図、同図（Ｃ）は上面図、同図（Ｄ）は下面図、同図（Ｅ）は下面の吸入口をテープで閉塞した状態の下面図である。
【符号の説明】
【００３６】
１  発泡推進容器
２  発泡入浴剤、２ａ  気泡
３  容器本体、３１  フィルム
４  吸入口
５  噴射口
６  気体滞留部
７  収納空間
８  前部シール部，８ａ  内側縁
９  上部シール部、９ａ  内側縁
１０  角部シール部
１１  位置決めシール部
１２  後部分シール部
１３  区画シール部
１１１  脱落防止テープ（脱落防止手段）
１１２，１１３  支持片（脱落防止手段）
１１４  係合溝
１１５  係合突起
２０  姿勢安定板
２１  上面フィルム
５３  容器本体、
５８  前部シール部、５９  上部シール部、５１０  後部シール部
５３１  側面フィルム、５３２  底面フィルム
４１  穴
５３３  テープ
【図１】
2006212264.tif 000003
【図２】
2006212264.tif 000004
【図３】
2006212264.tif 000005
【図４】
2006212264.tif 000006
【図５】
2006212264.tif 000007
【図６】
2006212264.tif 000008
【図７】
2006212264.tif 000009
【図８】
2006212264.tif 000010